(57)【特許請求の範囲】
【請求項１】
ＣＤＭＡ（Ｃｏｄｅ  Ｄｉｖｉｓｉｏｎ Ｍｕｌｔｉｐｌｅ  Ａｃｃｅｓｓ）方式を用いてデータの受信を行うＣＤＭＡ受信装置であって、
ＣＤＭＡ信号が入力されるメモリと各種サービス種別に応じた複数の受信処理ブロックとを有し、前記複数の受信処理ブロックは入力した前記ＣＤＭＡ信号から得られる選択信号をメモリに出力し、前記メモリは前記選択信号の指示に従って、前記複数の受信処理ブロックにＣＤＭＡ信号を振り分けることを特徴とする、ＣＤＭＡ受信装置。
【請求項２】
前記複数の受信処理ブロックは、入力したＣＤＭＡ信号において指示された拡散符号に対して相関値の大きいＣＤＭＡ信号の受信タイミングを見つけだすサーチャ手段を含み、前記サーチャ手段は前記受信タイミングに基づいて得られる前記選択信号をメモリに出力し、前記メモリは前記受信したデータを前記複数の受信処理ブロックに振り分けることを特徴とする、請求項１記載のＣＤＭＡ受信装置。
【請求項３】
前記複数の受信処理ブロックは、受信したＣＤＭＡ信号から得られるフェージングベクトルを利用して復調処理を行うことを特徴とする、請求項1又は２に記載のＣＤＭＡ受信装置。
【請求項４】
ＣＤＭＡ（Ｃｏｄｅ  Ｄｉｖｉｓｉｏｎ Ｍｕｌｔｉｐｌｅ  Ａｃｃｅｓｓ）方式を用いてデータの受信を行うＣＤＭＡ受信方法であって、
複数の受信処理ブロックが入力したＣＤＭＡ信号から得られる選択信号を前記メモリに出力する選択信号出力工程と、前記メモリは前記選択信号の指示に従って、前記複数の受信処理ブロックの各々にＣＤＭＡ信号を振り分ける工程を有することを特徴とする、ＣＤＭＡ受信方法。
【請求項５】
前記選択信号出力工程は、前記複数の受信処理ブロックに設けたサーチャ手段が入力したＣＤＭＡ信号において指示された拡散符号に対して相関値の大きいＣＤＭＡ信号の受信タイミングを見つけ出す工程と、前記受信タイミングに基づいて前記選択信号を得る工程と、前記サーチャ手段が前記選択信号を前記メモリに出力する工程をさらに有することを特徴とする、請求項４記載のＣＤＭＡ受信方法。
【請求項６】
前記複数の受信処理ブロックは、受信したＣＤＭＡ信号から得られるフェージングベクトルを利用して復調処理を行う復調処理工程をさらに有することを特徴とする、請求項４又は５に記載のＣＤＭＡ受信方法。
【発明の詳細な説明】
【技術分野】
【０００１】
本発明はＣＤＭＡ受信装置及びその方法に関し、特にＣＤＭＡ（Ｃｏｄｅ  Ｄｉｖｉｓｉｏｎ  Ｍｕｌｔｉｐｌｅ  Ａｃｃｅｓｓ：符号分割多元接続）方式を用いる受信装置に関する。
【背景技術】
【０００２】
近年、移動通信システムに適用する通信方式の一つとして、干渉や妨害に強いスペクトラム拡散通信方式が注目されている。スペクトラム拡散通信方式を使用した無線通信システムは、例えば送信側の装置において、ディジタル化された音声データや画像データに対してＰＳＫ（Ｐｈａｓｅ  Ｓｈｉｆｔ  Ｋｅｙｉｎｇ）またはＦＳＫ（Ｆｒｅｑｕｅｎｃｙ  Ｓｈｉｆｔ  Ｋｅｙｉｎｇ）変調方式等のディジタル変調方式によって変調を行った後、この変調された送信データを疑似雑音符号（ＰＮコード：Ｐｓｅｕｄｏｒａｎｄｏｍ  Ｎｏｉｓｅ  ｃｏｄｅ）等の拡散符号を用いて広帯域のベースバンド信号に変換し、その後に無線周波数の信号に変換して送信している。
【０００３】
一方、受信側の装置においては、受信された無線周波数信号に対して送信側の装置で使用した拡散符号と同じ符号を用いて逆拡散を行い、その後にＰＳＫまたはＦＳＫ復調方式によってディジタル復調を行って受信データを再生するように構成されている。
【０００４】
この種のシステムでは、マルチパス対策の一つとしてＲＡＫＥ受信方式が採用されている。すなわち、無線通信システムでは、送信側の装置から送信された無線波が受信側の装置に直接届く場合もあれば、ビルや山で反射して届く場合もある。
【０００５】
このように、一つの無線波が複数のパスを経て受信装置に到達すると、受信装置のアンテナ端では上記の複数のパスを経由した無線波がベクトル合成されて受信レベルの低下が生じる。この現象をマルチパスと呼んでいる。マルチパスが発生すると、例えば無線チャネルの帯域幅が３０ｋＨｚ程度の狭いシステムでは、場合によって無線信号が受信装置で全く受信できなくなるが、スペクトル拡散通信システムでは無線チャネルの帯域幅が広いため、無線信号は一部が欠損しながらも必ず受信される。
【０００６】
そこで、スペクトル拡散通信装置では、一つのアンテナで受信されたマルチパス受信波信号を１拡散符号長（１チップ）単位で分離して複数の独立した復調器に入力し、これらの復調器においてそれぞれのパスに対応する拡散符号で逆拡散を行って受信信号を復調し、この復調された複数のパスの受信信号をシンボル合成して受信データを再生する受信方式が採用されている。
【０００７】
これは受信信号を熊手のように集めて合成することから、ＲＡＫＥ受信方式と呼ばれている。ＲＡＫＥ受信方式を用いると、時間ダイバーシチが行われることになり、マルチパスが発生している場合の受信品質を大幅に高めることが可能となる。
【０００８】
従来のＣＤＭＡ受信装置を図１２に示す。図１２を参照すると、ＣＤＭＡ受信装置は受信処理制御部８５と、サーチャ部８１と、フィンガ部８２と、ＲＡＫＥ合成部８３と、復号部８４とから構成されている。また、受信処理制御部８５は呼処理制御装置８６と接続され、ＲＡＫＥ合成部８３からの送信制御信号がＣＤＭＡ送信装置８７に出力されている。
【０００９】
図１２における簡単な信号の流れについて説明する。ＣＤＭＡ信号はサーチャ部８１及びフィンガ部８２に入力される。サーチャ部８１は受信処理制御部８５から指示された拡散符号に対して相関値の大きいＣＤＭＡ信号の受信タイミングを見つけだし、ＣＤＭＡ信号の受信遅延量情報をフィンガ部８２へ出力する。
【００１０】
フィンガ部８２はＣＤＭＡ信号に対して逆拡散、フェージングベクトル生成、検波等の処理を行う。ＲＡＫＥ合成部８３はフィンガ部８２から入力される各パスの検波信号を加算合成した信号を復号部８４へ出力する。また、ＲＡＫＥ合成部８３は電力制御、ダイバーシティ制御等の送信制御信号をＣＤＭＡ送信装置８７へ出力する。復号部８４はＲＡＫＥ合成部８３から入力されたＲＡＫＥ合成後の信号を復号し、所望の信号を得る。
【発明の開示】
【発明が解決しようとする課題】
【００１１】
しかしながら、上記の従来のＣＤＭＡ受信装置では、システム条件から決まる高速データの最大レート、音声の最大同時処理ユーザ数（一般的に高速データで要求される最大同時処理ユーザ数は音声より少ない）を一つの受信処理ブロックで満たす構成をとっているため、ＣＤＭＡ受信装置のリソースの使用効率が悪くなるという問題がある。
【００１２】
例えば、高速データの受信処理を行う場合には、フィンガ部、ＲＡＫＥ合成部に対する負荷が重くなる。これは各部の動作スピードで処理しきれない場合に、フィンガ部における１ユーザ当たりのフィンガブロック及びＲＡＫＥ合成部における合成回路がより多く必要になることを意味する。逆に、サーチャ部は各サービスで同一レートであるパイロット信号を処理することから、レートに対する依存性はなく、同時処理ユーザ数に依存する。そのため、フィンガ部、ＲＡＫＥ合成部のリソースが先に不足し、相対的にサーチャ部のリソースが余ってしまう。
【００１３】
また、音声の受信処理を行う場合には、サーチャ部に対する負荷が重くなる。これは一般的に、高速データよりも、要求される同時処理ユーザ数が多いからである。そのため、サーチャ部のリソースが先に不足し、相対的にフィンガ部及びＲＡＫＥ合成部のリソースが余ってしまう。
【００１４】
さらに、ＣＤＭＡ受信装置では、サービス種別に関わらずＣＤＭＡ信号を受信するとすぐさま復調処理を行うため、高速データのユーザ数が増大し、その復調処理でフィンガ部、ＲＡＫＥ合成部のリソースを使い切ってしまうと、リアルタイム性が要求される音声の受信処理が行えなくなる、或いは遅延が生じてしまうという問題がある。
【００１５】
そこで、本発明の目的は上記の問題点を解消し、データのサービス種別やシステム条件に柔軟かつ効率的に対応することができ、リアルタイム性の要求される電力制御、ダイバーシティ制御等の処理に問題なく対応することができるＣＤＭＡ受信装置及びその方法を提供することにある。
【課題を解決するための手段】
【００１６】
本発明によるＣＤＭＡ受信装置は、ＣＤＭＡ（Ｃｏｄｅ  ＤｉｖｉｓｉｏｎＭｕｌｔｉｐｌｅ  Ａｃｃｅｓｓ）方式を用いて各種サービス種別のデータの受信を行うＣＤＭＡ受信装置であって、前記データのサービス種別それぞれに適した受信処理を行う複数の受信処理ブロックを備え、前記データのサービス種別に応じて当該データを前記複数の受信処理
ブロックに割り当てて受信処理を行うようにしている。
【発明の効果】
【００１７】
以上説明したように本発明によれば、ＣＤＭＡ方式を用いて各種サービス種別のデータの受信を行うＣＤＭＡ受信装置において、データのサービス種別それぞれに適した受信処理を行う複数の受信処理ブロックに、データのサービス種別に応じて当該データを割り当てて受信処理を行うことによって、データのサービス種別やシステム条件に柔軟かつ効率的に対応することができ、リアルタイム性の要求される電力制御、ダイバーシティ制御等の処理に問題なく対応することができるという効果がある。
【発明を実施するための最良の形態】
【００１８】
本発明によるＣＤＭＡ受信方法は、ＣＤＭＡ（Ｃｏｄｅ  ＤｉｖｉｓｉｏｎＭｕｌｔｉｐｌｅ  Ａｃｃｅｓｓ）方式を用いて各種サービス種別のデータの受信を行うＣＤＭＡ受信方法であって、前記データのサービス種別それぞれに適した受信処理を行う複数の受信処理ブロックに、前記データのサービス種別に応じて当該データを割り当てて受信処理を行うようにしている。
【００１９】
すなわち、本発明のＣＤＭＡ受信装置は、データのサービス種別それぞれに適した受信処理ブロックへの割り当て及び受信処理を行い、ＣＤＭＡ受信装置のリソースを効率的に使用し、かつ種々のサービスに安定して対応可能なシステムを構築するものである。
【００２０】
より具体的に、本発明のＣＤＭＡ受信装置では、受信信号用のメモリに入力されたＣＤＭＡ信号を、各受信処理ブロック（パケット用受信処理ブロック、高速データ用受信処理ブロック、音声及び低速データ用受信処理ブロック）のサーチャ部においてそれぞれサーチを行い、サービス別に各受信処理ブロックに振り分ける。
【００２１】
音声及び低速データはすぐさまデータフィールド用のフィンガ部及び制御フィールド用のフィンガ部にて復調され、ＲＡＫＥ合成部でＲＡＫＥ合成が行われる。一方、パケットはそのデータフィールドがデータフィールド用のメモリに蓄積され、パス情報用のメモリに保存されたパス情報にしたがって段階的にデータフィールド用のフィンガ部にて復調処理がなされる。また、高速データの受信処理動作はパケットと同様である。
【００２２】
これらの動作によって、データのサービス種別に応じた各受信処理ブロックの役割分担を行うことが可能となり、リアルタイム性の要求される音声データはすぐさま受信処理を行い、リアルタイム性の要求されないパケット及び受信処理ブロックのリソースを大量に消費する高速データを効率的に受信処理することが可能となる。
【実施例１】
【００２３】
次に、本発明の実施例について図面を参照して説明する。図１は本発明の一実施例によるＣＤＭＡ受信装置の構成を示すブロック図である。図１において、本発明の一実施例によるＣＤＭＡ受信装置はメモリ（受信信号用）１と、パケット用受信処理ブロック２と、高速データ用受信処理ブロック３と、音声及び低速データ用受信処理ブロック４と、呼処理制御装置５と、ＣＤＭＡ送信装置６と、受信処理制御部７と、復号部８とから構成されている。
【００２４】
パケット用受信処理ブロック２はサーチャ部２１と、フィンガ部（制御フィールド用）２２と、メモリ（パス情報用）２３と、メモリ（データフィールド用）２４と、フィンガ部（データフィールド用）２５と、ＲＡＫＥ合成部２６，２７とから構成されている。
【００２５】
高速データ用受信処理ブロック３はサーチャ部３１と、フィンガ部（制御フィールド用）３２と、メモリ（パス情報用）３３と、メモリ（データフィールド用）３４と、フィンガ部（データフィールド用）３５と、ＲＡＫＥ合成部３６，３７とから構成されている。
【００２６】
音声及び低速データ用受信処理ブロック４はサーチャ部４１と、フィンガ部（データフィールド用）４２と、フィンガ部（データフィールド用）４３と、ＲＡＫＥ合成部４４，４５とから構成されている。
【００２７】
受信処理制御部７は呼処理制御装置５に接続され、パケット用受信処理ブロック２のＲＡＫＥ合成部２６、高速データ用受信処理ブロック３のＲＡＫＥ合成部３６、音声及び低速データ用受信処理ブロック４のＲＡＫＥ合成部４４はそれぞれＣＤＭＡ送信装置６に接続されている。
【００２８】
図１における簡単な信号の流れについて説明する。まず、パケット用受信処理ブロック２と高速データ用受信処理ブロック３とに関してはほぼ同一となるため、パケット用受信処理ブロック２のみについて説明する。
【００２９】
ＣＤＭＡ信号はメモリ（受信信号用）１に入力され、すぐさまサーチャ部２１へ出力される。サーチャ部２１は受信処理制御部７から指示された拡散符号に対して相関値の大きいＣＤＭＡ信号の受信タイミングを見つけだし、メモリ（受信信号用）１へ選択信号を出力する。また、サーチャ部２１は該当ＣＤＭＡ信号の受信遅延量情報をフィンガ部（制御フィールド用）２２及びメモリ（パス情報用）２３へ出力する。
【００３０】
メモリ（受信信号用）１は選択信号で指示されたＣＤＭＡ信号をフィンガ部（制御フィールド用）２２及びメモリ（データフィールド用）２４へ出力する。フィンガ部（制御フィールド用）２２は該当ＣＤＭＡ信号の制御フィールドに対して逆拡散、フェージングベクトル生成、検波等の復調処理を行う。また、フィンガ部（制御フィールド用）２２は算出したフェージングベクトル情報をメモリ（パス情報用）２３へ出力する。
【００３１】
フィンガ部（データフィールド用）２５は１度に処理する量のＣＤＭＡ信号をメモリ（データフィールド用）２４から、またそれに対応するパス情報（受信遅延量情報及びフェージングベクトル情報）をメモリ（パス情報用）２３からそれぞれ読出し、逆拡散、検波等の処理を行う。
【００３２】
ＲＡＫＥ合成部２６はフィンガ部（制御フィールド用）２２から入力される各パスの検波信号を加算合成した信号を復号部８に出力する。同様に、ＲＡＫＥ合成部２７はフィンガ部（データフィールド用）２５から入力される各パスの検波信号を加算合成した信号を復号部８に出力する。また、ＲＡＫＥ合成部２６は電力制御、ダイバーシティ制御等の送信制御信号をＣＤＭＡ送信装置６へ出力する。
【００３３】
次に、音声及び低速データ用受信処理ブロック４について説明する。ＣＤＭＡ信号はメモリ（受信信号用）１に入力され、すぐさまサーチャ部４１へ出力される。サーチャ部４１は受信処理制御部７から指示された拡散符号に対して相関値の大きいＣＤＭＡ信号の受信タイミングを見つけだし、メモリ（受信信号用）１へ選択信号を出力する。また、サーチャ部４１は該当ＣＤＭＡ信号の受信遅延量情報をフィンガ部（制御フィールド用）４２及びフィンガ部（データフィールド用）４３へ出力する。
【００３４】
メモリ（受信信号用）１は選択信号で指示されたＣＤＭＡ信号をフィンガ部（制御フィールド用）４２及びフィンガ部（データフィールド用）４３へ出力する。フィンガ部（制御フィールド用）４２は該当ＣＤＭＡ信号に対して逆拡散、フェージングベクトル生成、検波等の処理を行う。また、フィンガ部（制御フィールド用）４２は算出したフェージングベクトル情報をフィンガ部（データフィールド用）４３へ出力する。
【００３５】
フィンガ部（データフィールド用）４３は該当ＣＤＭＡ信号に対して逆拡散、検波等の処理を行う。ＲＡＫＥ合成部４４はフィンガ部（制御フィールド用）４２から入力される各パスの検波信号を加算合成した信号を復号部８に出力する。同様に、ＲＡＫＥ合成部４５はフィンガ部（データフィールド用）４２から入力される各パスの検波信号を加算合成した信号を復号部８に出力する。また、ＲＡＫＥ合成部４４は電力制御、ダイバーシティ制御等の送信制御信号をＣＤＭＡ送信装置６へ出力する。復号部８は各受信処理ブロックから入力したＲＡＫＥ合成後の信号を復号し、所望の信号を得る。
【００３６】
図２は図１のサーチャ部２１，３１，４１の構成例を示すブロック図である。図２において、サーチャ部の基本的な構成は各受信処理ブロックにおけるサーチャ部２１，３１，４１で共通であり、それぞれサーチャブロック５０−１〜５０−ｋで構成されている。サーチャブロック５０−１〜５０−ｋ各々は同じ構成のため、以下サーチャブロック５０−１についてのみ説明する。
【００３７】
サーチャブロック５０−１は相関器５１−１１〜５１−１ｎと、積分・ダンプ回路５２−１１〜５２−１ｎと、電力算出回路５３−１１〜５３−１ｎと、ディレイプロファイル生成部５４−１と、ＲＡＫＥ合成パス選択部５５−１と、拡散符号レプリカ発生器５８−１と、パイロット発生器５９−１と、パイロット拡散符号遅延制御部５６−１と、乗算器５７−１とから構成されている。
【００３８】
ここで、ｋはサーチャブロックの数、すなわち同時にサーチすることができるユーザの数を表しており、ｎはサーチを行う遅延の幅、すなわちＣＤＭＡ受信装置が各パスの遅延をどの程度までカバーするかを表している。
【００３９】
図２における簡単な信号の流れについて説明する。拡散符号レプリカ発生器５８−１は受信処理制御部７から指示された拡散符号情報に基づいて拡散符号レプリカを乗算器５７−１に出力し、パイロット発生器５９−１はパイロット信号を乗算器５７−１に出力する。
【００４０】
乗算器５７−１はこれらを掛け合わせてパイロット拡散符号を生成し、パイロット拡散符号遅延制御部５６−１に出力する。パイロット拡散符号遅延制御部５６−１はチップ単位で位相のずれたパイロット拡散符号を相関器５１−１１〜５１−１ｎに出力する。
【００４１】
相関器５１−１１〜５１−１ｎはこれらパイロット拡散符号と、メモリ（受信信号用）１から入力したＣＤＭＡ信号との相関値を積分・ダンプ回路５２−１１〜５２−１ｎへ出力する。積分・ダンプ回路５２−１１〜５２−１ｎはパイロット信号区間の相関値を積分し、電力算出回路５３−１１〜５３−１ｎへ出力する。
【００４２】
電力算出回路５３−１１〜５３−１ｎはＩ，Ｑ各相関値から相関電力値を算出し、ディレイプロファイル生成部５４−１へ出力する。ディレイプロファイル生成部５４−１は各受信タイミングにおける相関電力値を用いてディレイプロファイルを生成する。
【００４３】
ＲＡＫＥ合成パス選択部５５−１はディレイプロファイル生成部５４−１にて生成されたディレイプロファイルを用いて、予め決められた値以上の相関電力値を持つ受信タイミングがあれば、選択信号をメモリ（受信信号用）１へ出力する。
【００４４】
図３は図１のフィンガ部（制御フィールド用）２２，３２，４２の構成例を示すブロック図である。図３において、フィンガ部（制御フィールド用）の基本的な構成は各受信処理ブロックにおけるフィンガ部（制御フィールド用）２２，３２，４２で共通であり、それぞれフィンガブロック６０−１〜６０−ｍで構成されている。フィンガブロック６０−１〜６０−ｍ各々は同じ構成のため、以下フィンガブロック６０−１についてのみ説明する。
【００４５】
フィンガブロック６０−１は相関器６１−１と、積分・ダンプ回路６２−１と、フェージングベクトル生成部６３−１と、検波部６４−１と、拡散符号レプリカ発生器６６−１と、拡散符号レプリカ遅延部６５−１とから構成されている。ここで、ｍはフィンガブロックの数、すなわち同時に復調処理することができるシンボル数を表している。制御フィールドのレートは各サービスで一定のため、ｍはフィンガ部（制御フィールド用）２２，３２，４２で同じ値となる。
【００４６】
図３における簡単な信号の流れについて説明する。拡散符号レプリカ発生器６６−１は受信処理制御部７から指示された拡散符号情報に基づいて、拡散符号レプリカを拡散符号レプリカ遅延部６５−１に出力する。拡散符号レプリカ遅延部６５−１はサーチャ部２１，３１，４１から入力した受信遅延量情報に基づいた遅延量を拡散符号レプリカに与え、相関器６１−１に出力する。
【００４７】
相関器６１−１はこの拡散符号レプリカを用いて、入力したＣＤＭＡ信号を逆拡散し、相関値信号を積分・ダンプ回路６２−１へ出力する。積分・ダンプ回路６２−１は受信処理制御部７から入力した拡散符号情報に含まれる拡散率情報に基づいて、相関器６１−１から入力したチップ単位の相関値信号を積分し、シンボル単位の相関値信号をフェージングベクトル生成部６３−１へ出力する。
【００４８】
フェージングベクトル生成部６３−１は相関値信号から伝送路推定を行い、ＩＱ軸の傾き及び伝送された信号の大きさ（＝パスの確度：大きいほど、信頼性のあるパスであると判断することができる）を表すフェージングベクトルを生成する。検波部６４−１は相関値信号及びフェージングベクトルを用いて検波を行い、検波信号をＲＡＫＥ合成部２６，３６，４４に出力する。
【００４９】
図４は図１のフィンガ部（データフィールド用）２５，３５，４３の構成例を示すブロック図である。図４において、フィンガ部（データフィールド用）の基本的な構成は各受信処理ブロックにおけるフィンガ部（データフィールド用）２５，３５，４３で共通であり、それぞれフィンガブロック７０−１〜７０−ｈで構成されている。フィンガブロック７０−１〜７０−ｈ各々は同じ構成のため、以下フィンガブロック７０−１についてのみ説明する。
【００５０】
フィンガブロック７０−１は相関器７１−１と、積分・ダンプ回路７２−１と、検波部７３−１と、拡散符号レプリカ発生器７５−１と、拡散符号レプリカ遅延部７４−１とから構成されている。ここで、ｈはフィンガブロックの数、すなわち同時に復調処理することができるシンボル数を表している。データフィールドのレートはサービス種別によって異なるため、各受信処理ブロックにおけるｈの値は異なることが多い（音声及び低速データ用受信処理ブロック４におけるｈの値が最も小さくなる）。
【００５１】
図４における簡単な信号の流れについて説明する。拡散符号レプリカ発生器７５−１は受信処理制御部７から指示された拡散符号情報に基づいて、拡散符号レプリカを拡散符号レプリカ遅延部７４−１に出力する。拡散符号レプリカ遅延部７４−１はメモリ（パス情報用）２３，３３から入力したパス情報、あるいはサーチャ部４１から入力した受信遅延量情報に基づいた遅延量を拡散符号レプリカに与え、相関器７１−１に出力する。
【００５２】
相関器７１−１はこの拡散符号レプリカを用いて、入力したＣＤＭＡ信号を逆拡散し、相関値信号を積分・ダンプ回路７２−１へ出力する。積分・ダンプ回路７２−１は受信処理制御部７から入力した拡散符号情報に含まれる拡散率情報に基づいて、相関器７１−１から入力したチップ単位の相関値信号を積分し、シンボル単位の相関値信号を検波部７３−１に出力する。
【００５３】
検波部７３−１は相関値信号及びメモリ（パス情報用）２３，３３から入力したパス情報、あるいはフィンガ部（制御フィールド用）４１から入力したフェージングベクトルを用いて検波を行い、検波信号をＲＡＫＥ合成部２７，３７，４５に出力する。
【００５４】
図５〜図７は本発明の一実施例によるＣＤＭＡ受信装置の処理動作を示すフローチャートである。これら図１〜図７を参照して本発明の一実施例によるＣＤＭＡ受信装置においてＣＤＭＡ信号が入力された場合の動作について説明する。
【００５５】
ＣＤＭＡ信号がメモリ（受信信号用）１に入力されると、そのＣＤＭＡ信号はすぐさま各ブロックのサーチャ部２１，３１，４１に出力される（図５ステップＳ１）。サーチャ部２１，３１，４１はディレイプロファイルを生成し、予め決められた値以上の相関電力値を持つ受信タイミングがあれば、選択信号をメモリ（受信信号用）１に出力する（図５ステップＳ２）。
【００５６】
まず、選択信号が音声及び低速データ用受信処理ブロック４から出力された場合について説明する。メモリ（受信信号用）１は選択信号で指示されたＣＤＭＡ信号を音声及び低速データ用受信処理ブロック４のフィンガ部（制御フィールド用）４２及びフィンガ部（データフィールド用）４３へ出力する。
【００５７】
また、サーチャ部４１は受信遅延量情報をフィンガ部（制御フィールド用）４２へ出力する（図５ステップＳ３）。フィンガ部（制御フィールド用）４２は制御フィールドの復調を行い（図５ステップＳ４）、フィンガ部（データフィールド用）１８はその結果を用いてデータフィールドの復調を行う（図５ステップＳ５）。
【００５８】
次に、選択信号がパケット用受信処理ブロック２から出力された場合について説明する。メモリ（受信信号用）１は選択信号で指示されたＣＤＭＡ信号をパケット用受信処理ブロック２のフィンガ部（制御フィールド用）２２及びメモリ（データフィールド用）２４へ出力する。
【００５９】
また、サーチャ部２１は受信遅延量情報をフィンガ部（制御フィールド用）２２及びメモリ（パス情報用）２３へ出力する（図６ステップＳ８）。フィンガ部（制御フィールド用）２２は制御フィールドの復調を行い（図６ステップＳ９，Ｓ１０）、制御フィールドを用いて算出したフェージングベクトルをメモリ（パス情報用）２３へ出力する（図６ステップＳ１１）。
【００６０】
フィンガ部（データフィールド用）２５は自身のフィンガブロックの使用状況から、新たな復調処理が可能かどうかを判断する（図６ステップＳ１２）。フィンガブロックに空きがない場合、メモリ（データフィールド用）２４に保存されているデータフィールドの復調処理は行われず、待ち状態となる（図６ステップＳ１３）。
【００６１】
フィンガブロックに空きがあると、フィンガ部（データフィールド用）２５はメモリ（パス情報用）２３から該当するＣＤＭＡ信号のパス情報を読出し、メモリ（データフィールド用）２４から一度に処理する量だけＣＤＭＡ信号を読出す（図６ステップＳ１４）。フィンガ部（データフィールド用）２５は読出したパス情報を用いてデータフィールドの復調を行う（図６ステップＳ１５）。
【００６２】
復調処理が終了して空きが生じると、フィンガ部（データフィールド用）２５はメモリ（データフィールド用）２４に処理すべきＣＤＭＡ信号が存在するかどうかを検出する（図６ステップＳ１６）。
【００６３】
フィンガ部（データフィールド用）２５はメモリ（データフィールド用）２４にＣＤＭＡ信号が保存されていれば、メモリ（パス情報用）２３から該当ＣＤＭＡ信号のパス情報を読出し、メモリ（データフィールド用）２４から一度に処理する量だけＣＤＭＡ信号を読出す（図６ステップＳ１４）。
【００６４】
フィンガ部（データフィールド用）２５はメモリ（データフィールド用）２４に未復調のＣＤＭＡ信号が存在しなければ、ＣＤＭＡ信号受信待ちの状態に戻る。
【００６５】
続いて、選択信号が高速データ用受信処理ブロック３から出力された場合について説明する。この場合の動作は上述したパケット用受信処理ブロック２の動作と同様である。
【００６６】
メモリ（受信信号用）１は選択信号で指示されたＣＤＭＡ信号を高速データ用受信処理ブロック３のフィンガ部（制御フィールド用）３２及びメモリ（データフィールド用）３４へ出力する。
【００６７】
また、サーチャ部３１は受信遅延量情報をフィンガ部（制御フィールド用）３２及びメモリ（パス情報用）３３へ出力する（図７ステップＳ１７）。フィンガ部（制御フィールド用）３２は制御フィールドの復調を行い（図７ステップＳ１８，Ｓ１９）、制御フィールドを用いて算出したフェージングベクトルをメモリ（パス情報用）３３へ出力する（図７ステップＳ２０）。
【００６８】
フィンガ部（データフィールド用）３５は自身のフィンガブロックの使用状況から、新たな復調処理が可能かどうかを判断する（図７ステップＳ２１）。フィンガブロックに空きがない場合、メモリ（データフィールド用）３４に保存されているデータフィールドの復調処理は行われず、待ち状態となる（図７ステップＳ２２）。
【００６９】
フィンガブロックに空きがあると、フィンガ部（データフィールド用）３５はメモリ（パス情報用）３３から該当するＣＤＭＡ信号のパス情報を読出し、メモリ（データフィールド用）３４から一度に処理する量だけＣＤＭＡ信号を読出す（図７ステップＳ２
３）。フィンガ部（データフィールド用）３５は読出したパス情報を用いてデータフィールドの復調を行う（図７ステップＳ２４）。
【００７０】
復調処理が終了して空きが生じると、フィンガ部（データフィールド用）３５はメモリ（データフィールド用）３４に処理すべきＣＤＭＡ信号が存在するかどうかを検出する（図７ステップＳ２５）。
【００７１】
フィンガ部（データフィールド用）３５はメモリ（データフィールド用）３４にＣＤＭＡ信号が保存されていれば、メモリ（パス情報用）３３から該当ＣＤＭＡ信号のパス情報を読出し、メモリ（データフィールド用）３４から一度に処理する量だけＣＤＭＡ信号を読出す（図７ステップＳ２３）。
【００７２】
フィンガ部（データフィールド用）３５はメモリ（データフィールド用）３４に未復調のＣＤＭＡ信号が存在しなければ、ＣＤＭＡ信号受信待ちの状態に戻る。
【００７３】
また、受信処理制御部７から指示された拡散符号でサーチを行ったが（図５ステップＳ３，図６ステップＳ８，図７ステップＳ１７）、いずれの受信処理ブロックでも相関電力値のピークが得られない場合（図５ステップＳ６）、ＣＤＭＡ信号は廃棄される（図５ステップＳ７）。
【００７４】
このように、上記のような構成とすることで、データのサービス種別に柔軟かつ効率的に対応することができるＣＤＭＡ受信装置を構成することができる。すなわち、電話と高速データ通信とを同じネットワークの中で処理するという非効率性を可能な限り解消することができる。
【００７５】
図１において、ＣＤＭＡ信号はそのサービス種別に応じて、パケット用受信処理ブロック２、高速データ用受信処理ブロック３、音声及び低速データ用受信処理ブロック４に振り分けられ、サービス種別に適した処理を各ブロックで行うことができるようにした構成となっている。
【００７６】
すなわち、高速データはデータ量が多いため、音声と比べてフィンガ部（データフィールド用）３５におけるフィンガブロック７０−１〜７０−ｈが多数用意されており、ＲＡＫＥ合成部３７の回路規模は大きい。
【００７７】
また、フィンガ部（データフィールド用）３５が一度に処理できないデータ量の時には、メモリ（データフィールド用）３４で保存されるが、メモリ容量は最も大きくなっている。
【００７８】
パケットデータは音声と比べてある程度の遅延が許容され、その到着が間欠的であるため、メモリ（データフィールド用）２４を用意することによって、フィンガ部（データフィールド用）２５におけるフィンガブロック７０−１〜７０−ｈ及びＲＡＫＥ合成部２７の回路規模を削減することができる。
【００７９】
音声に関してはパケット用受信処理ブロック２及び高速データ用受信処理ブロック３と音声及び低速データ用受信処理ブロック４とを別にすることによって、高速データあるいはパケットの復調処理でＣＤＭＡ受信装置のリソースがなくなってしまい、高速データユーザやパケットデータユーザがリアルタイム性の要求される音声ユーザをブロックしてしまうことを防ぐことができ、またメモリを置かず、すぐさま復調処理を行うことによって、音声の復調処理の遅延を最小限に抑えることができる。
【００８０】
一方、上記のような構成とすることで、システム条件に対して柔軟かつ効率的に対応することができるＣＤＭＡシステムを構築することができる。例えば、音声ユーザの多い地域ではＣＤＭＡ受信装置における音声及び低速データ用受信処理ブロック４の比率を高め、データ通信ユーザの多い地域では高速データ用受信処理ブロック３やパケット用受信処理ブロック２の比率を高めることによって、システム条件に最適な構成をとることができる。
【００８１】
すなわち、それぞれパケット用カード、高速データ用カード、音声及び低速データ用カードの構成とすれば、ＣＤＭＡ受信装置に実装するカード枚数の比率を変えることで柔軟に対応することができる。
【００８２】
また、上記のような構成とすることで、ＣＤＭＡ通信方式の基地局装置における上り受信処理の負担を減らすことができる。ＣＤＭＡ通信方式の基地局装置における下り送信処理はネットワーク側でデータ蓄積によりＱｏＳ（Ｑｕａｌｉｔｙ  ｏｆ  Ｓｅｒｖｉｃｅｓ）制御を行うことができるが、上りは全端末に対してＱｏＳ制御を行うことが非常に困難であり、本発明はＣＤＭＡ通信方式の基地局装置における受信処理の負担を減らす解決案となる。
【００８３】
次に、上位装置から受信処理制御部７に、ユーザ毎の拡散符号情報に加えてサービス種別を通知することによって、ＣＤＭＡ受信装置がサービス種別を意識し、ＣＤＭＡ信号を最適な受信処理ブロックに振り分け、復調処理を行うことができるので、上位装置からＣＤＭＡ通信方式の基地局装置における上り受信処理の最適制御が行うことができる。
【００８４】
また、従来であれば、システム条件から要求される最大レート、最大同時処理ユーザ数を処理することができるフィンガブロック、ＲＡＫＥ合成部を構成しているが、メモリ（データフィールド用）２４，３４にデータを保存することによって、同時処理するデータ量を削減することができるので、パケット用受信処理ブロック２や高速データ用受信処理ブロック３のフィンガ部２２，２５，３２，３５やＲＡＫＥ合成部２６，２７，３６，３７の回路規模を削減することができる。
【００８５】
さらに、パケットデータや高速データのデータフィールドを遅延させているが、制御フィールドの復調処理はすぐさま行うため、リアルタイム性の要求される電力制御やダイバーシティ制御等の処理に問題なく対応することができる。
【実施例２】
【００８６】
図８は本発明の他の実施例によるＣＤＭＡ受信装置の構成を示すブロック図である。図８において、本発明の他の実施例によるＣＤＭＡ受信装置では、パケット用受信処理ブロック２におけるＲＡＫＥ合成部２６，２７と復号部８との間、高速データ用受信処理ブロック３におけるＲＡＫＥ合成部３６，３７と復号部８との間、また音声、低速データ用受信処理ブロック４におけるＲＡＫＥ合成部４４，４５と復号部８との間にそれぞれメモリ１１〜１３を追加した以外は、図１に示す本発明の一実施例によるＣＤＭＡ受信装置と同様の構成となっており、同一構成要素には同一符号を付してある。また、同一構成要素の動作は本発明の一実施例と同様である。
【００８７】
制御フィールドのＲＡＫＥ合成を行うＲＡＫＥ合成部２６，３６，４４はデータフィールドのフォーマット情報等、復号に必要なデータをメモリ１１〜１３に保存し、データフィールドのＲＡＫＥ合成を行うＲＡＫＥ合成部２７，３７，４５はデータをメモリ１１〜１３に保存する。復号部８は受信処理制御部７から通知される優先度に基づき、優先度の高いデータを順次メモリ１１〜１３から読出して復号処理を行う。
【００８８】
本実施例は上記のように、メモリ１１〜１３を追加することで、特にパケットデータや高速データのユーザが増大した時の復号部８の処理負荷の軽減及び音声のリアルタイム性の確保をより図れる構成としている。
【実施例３】
【００８９】
図９は本発明の別の実施例によるＣＤＭＡ受信装置の構成を示すブロック図である。図９において、本発明の別の実施例によるＣＤＭＡ受信装置では、フィンガ部（制御フィールド用）２２，３２，４２やフィンガ部（データフィールド用）２５，３５，４３から空き領域情報を受信処理制御部７に出力するようにした以外は、図１に示す本発明の一実施例によるＣＤＭＡ受信装置と同様の構成となっており、同一構成要素には同一符号を付してある。また、同一構成要素の動作は本発明の一実施例と同様である。
【００９０】
受信処理制御部７はフィンガ部（制御フィールド用）２２，３２，４２やフィンガ部（データフィールド用）２５，３５，４３からの空き領域情報を基に、音声及び低速データ用受信処理ブロック４のリソースに空きがなく、新しく音声あるいは低速データのユーザを追加しなければならない場合、パケット用受信処理ブロック２あるいは高速データ用受信処理ブロック３のうちのどちらかリソースが空いている方に音声あるいは低速データを割り当てることができる。
【００９１】
図１０及び図１１は図９の受信処理制御部７の動作を示すフローチャートである。これら図９〜図１１を参照して受信処理制御部７の動作について説明する。図１０及び図１１に示すフローチャートは音声のユーザが追加される場合のフローを示しているが、低速データが追加される場合にも、以下に説明する音声のユーザが追加される場合と同様の動作となる。
【００９２】
受信処理制御部７は呼処理制御装置５から音声のユーザ追加指示を、そのユーザ情報と共に受信すると（図１０ステップＳ３１）、各受信処理ブロックのフィンガ部（制御フィールド用）２２，３２，４２及びフィンガ部（データフィールド用）２５，３５，４３の空き領域情報を取得する（図１０ステップＳ３２）。
【００９３】
まず、受信処理制御部７は音声及び低速データ用受信処理ブロック４のフィンガ部（制御フィールド用）４２及びフィンガ部（データフィールド用）４３で受信処理が可能かどうかを判断する（図１０ステップＳ３３）。
【００９４】
受信処理制御部７は音声及び低速データ用受信処理ブロック４に空きがある場合、音声及び低速データ用受信処理ブロック４に拡散符号情報を出力する（図１０ステップＳ３４）。また、受信処理制御部７は音声及び低速データ用受信処理ブロック４に空きがない場合、パケット用受信処理ブロック２のフィンガ部（制御フィールド用）２２及びフィンガ部（データフィールド用）２５で受信処理が可能かどうかを判断する（図１０ステップＳ３５）。
【００９５】
受信処理制御部７はパケット用受信処理ブロック２に空きがある場合、パケット用受信処理ブロック２に拡散符号情報を出力する（図１０ステップＳ３６）。また、受信処理制御部７はパケット用受信処理ブロック２に空きがない場合、高速データ用受信処理ブロック３のフィンガ部（制御フィールド用）３２及びフィンガ部（データフィールド用）３５で受信処理が可能かどうかを判断する（図１１ステップＳ３７）。
【００９６】
受信処理制御部７は高速データ用受信処理ブロック３に空きがある場合、高速データ用受信処理ブロック３に拡散符号情報を出力する（図１１ステップＳ３８）。また、受信処理制御部７は高速データ用受信処理ブロック３に空きがない場合、ユーザ追加エラーを呼処理制御装置５に出力する（図１１ステップＳ３９）。
【００９７】
図９に示す本発明の別の実施例では音声及び低速データのユーザが増大した時に、パケット用受信処理ブロック２や高速データ用受信処理ブロック３のリソースに空きがあるにも関わらず、受信処理ができないという事態を回避することができる。フィンガ部（データフィールド用）に関して、音声及び低速データはパケットデータ及び高速データと比べて復調処理に要するフィンガブロック数が少なく、パケット用受信処理ブロック２や高速データ用受信処理ブロック３のフィンガ部（データフィールド用）２５，３５を使用したとしても影響は軽微であり、むしろＣＤＭＡ受信装置のリソースを効率的に使用することができるメリットの方が大きい。
【００９８】
次に、受信処理制御部７が得るべき空き領域情報について説明する。フィンガ部（制御フィールド用）２２，３２に関してはあるユーザ数に対して必要なフィンガブロック数が、フィンガ部（データフィールド用）２５，３５と比べて少ないため、フィンガブロック数で比べると、通常、フィンガ部（制御フィールド用）２２，３２の方が少ない。
【００９９】
パケット用受信処理ブロック２及び高速データ用受信処理ブロック３において、音声あるいは低速ユーザが割り当てられていくと、フィンガ部（データフィールド用）２５，３５より先にフィンガブロック数が足りなくなるため、フィンガ部（制御フィールド用）２２，３２の空き領域情報は必須である。また、フィンガ部（データフィールド用）２５，３５に関しても、メモリ（データフィールド用）２４，３４にＣＤＭＡ信号が大量に保存されている場合には、フィンガ部（制御フィールド用）２２，３２のリソースが空いている場合でも、フィンガ部（データフィールド用）２５，３５のリソースが空いていない場合があるため、フィンガ部（データフィールド用）２５，３５の空き領域情報も必須である。
【図面の簡単な説明】
【０１００】
【図１】本発明の一実施例によるＣＤＭＡ受信装置の構成を示すブロック図である。
【図２】図１のサーチャ部の構成例を示すブロック図である。
【図３】図１のフィンガ部（制御フィールド用）の構成例を示すブロック図である。
【図４】図１のフィンガ部（データフィールド用）の構成例を示すブロック図である。
【図５】本発明の実施例１によるＣＤＭＡ受信装置の処理動作を示すフローチャートである。
【図６】本発明の実施例１によるＣＤＭＡ受信装置の処理動作を示すフローチャートである。
【図７】本発明の実施例１によるＣＤＭＡ受信装置の処理動作を示すフローチャートである。
【図８】本発明の実施例２によるＣＤＭＡ受信装置の構成を示すブロック図である。
【図９】本発明の実施例３によるＣＤＭＡ受信装置の構成を示すブロック図である。
【図１０】図９の受信処理制御部の動作を示すフローチャートである。
【図１１】図９の受信処理制御部の動作を示すフローチャートである。
【図１２】従来例によるＣＤＭＡ受信装置の構成を示すブロック図である。
【符号の説明】
【０１０１】
１  メモリ（受信信号用）
２  パケット用受信処理ブロック
３  高速データ用受信処理ブロック
４  音声及び低速データ用受信処理ブロック
５  呼処理制御装置
６  ＣＤＭＡ送信装置
７  受信処理制御部
８  復号部
１１〜１３  メモリ
２１，３１，４１  サーチャ部
２２，３２，４２  フィンガ部（制御フィールド用）
２３，３３  メモリ（パス情報用）
２４，３４  メモリ（データフィールド用）
２５，３５，４３  フィンガ部（データフィールド用）
２６，２７，３６，３７，
４４，４５  ＲＡＫＥ合成部
５０−１〜５０−ｋ  サーチャブロック
５１−１１〜５１−１ｎ，
６１−１，７１−１  相関器
５２−１１〜５２−１ｎ，
６２−１，７２−１  積分・ダンプ回路
５３−１１〜５３−１ｎ  電力算出回路
５４−１  ディレイプロファイル生成部
５５−１  ＲＡＫＥ合成パス選択部
５８−１，６６−１，
７５−１  拡散符号レプリカ発生器
５９−１  パイロット発生器
５６−１  パイロット拡散符号遅延制御部
５７−１  乗算器
６０−１〜６０−ｍ，
７０−１〜７０−ｈ  フィンガブロック
６３−１  フェージングベクトル生成部
６４−１，７３−１  検波部
６５−１，７４−１  拡散符号レプリカ遅延部
【図１】
0003587207.tif 000002
【図２】
0003587207.tif 000003
【図３】
0003587207.tif 000004
【図４】
0003587207.tif 000005
【図５】
0003587207.tif 000006
【図６】
0003587207.tif 000007
【図７】
0003587207.tif 000008
【図８】
0003587207.tif 000009
【図９】
0003587207.tif 000010
【図１０】
0003587207.tif 000011
【図１１】
0003587207.tif 000012
【図１２】
0003587207.tif 000013